(57)【要約】【課題】      淡水魚を一定期間塩浴水中に放流（生育）させる時に、より淡水魚に寄棲した病原菌への殺菌力を高める。【解決手段】  従来の塩浴水中の濃度を約１．０〜１．２％まで高め、その上でその塩浴水を連続的に遠赤外線放射セラミックス処理を施すようにした。【選択図】    図１
2006304750.tif 000002
【特許請求の範囲】
【請求項１】
淡水魚を所定の期間、所定の塩濃度の水（以下塩浴水と略記）の環境下で飼育し、かつ前記塩浴水を遠赤外線放射セラミックスによる接触処理を施すことを特徴とする淡水魚の病気の防疫法。
【請求項２】
塩浴水の塩分濃度は０．５〜１．２％としたことを特徴とする請求項１の淡水魚の病気の防疫法。
【発明の詳細な説明】
【技術分野】
【０００１】  本発明は淡水魚飼育の防疫及びもしくは病気の治療方法に関するものである。
【背景技術】
【０００２】  淡水魚が病気に侵された時にその治療法として以前から塩浴が行われていた。その濃度は０．５〜０．８％が推奨されていた。もともと淡水魚の体液の浸透圧は塩分濃度に直すと約０．８％の塩水の濃度となる。健康魚は淡水中で常に浸透圧調節を行っている。体表からその浸透圧差のために淡水魚に吸収された水は腎臓から排泄し必要な塩分は鰓の塩類細胞の働きで積極的に鰓から取り込まれている。しかし疫病魚や特に鰓病にかかった魚は鰓による浸透圧調節が損なわれたり浸透圧調節のために非常に多くのエネルギーを消費する事により耐病性が低くなる。病気の魚を０．５〜０．８％の濃度で塩浴させる最大の目的は鰓の浸透圧調節の負担を減らしながら、且つ、病原菌の活動を塩水の浸透圧により弱め、魚の免疫力や他の治療薬の効果を期待するものである。ただし魚を侵す病原体の中には比較的塩に弱いとされる病原体もありそれらには０．５〜０．８％の塩浴である程度の殺菌作用は期待できるがその濃度での完全な殺菌や駆虫は不可能である。また比較的高濃度での数十秒から数分の塩浴法も行われているがこの方法はたくさんの飼育魚には同時に実施が困難で有り、またあまりにもリスクが高い。そのために塩に弱いとされている細菌Ｆｌａｖｏｂａｃｔｅｒｉｕｍｃｏｌｕｍｎａｒｅ（Ｆｉｅｘｉｂａｃｔｅｒ  ｃｏｌｕｍｎａｒｉｓ）の感染によってひきおこされるカラムナリス病や繊毛虫Ｉｃｈｔｈｙｏｐｈｔｈｉｒｉｕｓｍｕｌｔｉｆｉｌｉｉｓの感染によってきおこされる白点病の治療にも塩浴と殺菌剤や抗生物質や色素剤が併用されている。しかし耐性菌の出現や食用魚の場合は薬の使用に法的な規制がかけられている。前述のような事情から塩浴だけで病原体の駆除が簡単に出来れば淡水魚の飼育者にとって大いなる福音となる
【発明を解決しようとする課題】
【０００３】  従来塩浴水の塩濃度は淡水魚の年齢、体重、魚種等によって異なるが、孵化後まだ十分に鱗が形成されていない稚魚を除きその塩濃度は前述のように０．５〜０．８％であった。この従来使用されている塩分濃度で比較的塩に弱いとされる病原体に対し従来より強い撲滅作用を発揮させる方法が求められていた。
【０００４】  従来使用されていた塩分濃度以上に例えば１〜１．２％程度に塩分濃度を高めた塩浴水中で淡水魚を飼育する事は淡水魚の体液より浸透圧濃度が高い塩浴水による弊害を受ける事になる。しかし仮に前述の塩濃度の塩浴水中で淡水魚を健康に数日間棲息させる事を可能に出来るならば０．５〜０．８％の塩分濃度では完全に撲滅出来なかった比較的、塩に弱い病原体をほぼ完全に撲滅する事が出来るようになる。
【課題を解決するための手段】
【０００５】  本発明者等は遠赤外線放射セラミックスを各種の溶液、例えば植物栽培水、炊飯用水、天ぷら用油、飲用アルコ−ル等と接触処理するとこれらの各々がこの記載順で発芽の向上、御飯の糖度向上、天ぷら油の酸化の進行を遅らせ長持ちする、アルコ−ルがまろやか（即ち熟成飲用アルコ−ルの感触をもたらす）になる等の効果を見いだし、それぞれの商品化を図ってきていた。そのような用途拡大の延長上で鯛等の海水魚の飼育槽中の海水を海水魚用の比重計で１．５位にし遠赤外線放射セラミックス処理しながらその水槽中へ淡水魚である鯉、アユ、ヤマメ等を入れてそれらの生存状況試験を行ったところ両領域水中の魚が１ヶ月等生存できた事。そして更に観賞用の淡水魚に寄生する病原菌の塩溶液による殺菌法を知るに至り、本発明が行われる事となった。即ち、淡水魚にとりつく病原菌の駆除に対し従来の塩浴水濃度を上げて必要な魚の生存日数を確保するためにその塩浴水を連続的に遠赤外線放射セラミックス処理する事により従来の課題であった塩浴水中の塩濃度を高めてもその中の魚の生存日数を病原菌駆除が可能な程度に確保する事が出来るようになった。
【発明の効果】
【０００６】  本発明によれば従来の淡水魚の塩浴殺菌法では不充分であった塩濃度を塩に弱い細菌類であるＦｌａｖｏｂａｃｔｅｒｉｕｍ  ｃｏｌｕｍｎａｒｅ（Ｆｉｅｘｉｂａｃｔｅｒ  ｃｏｌｕｍｎａｒｉｓ）等の殺菌、繊毛虫であるＩｃｈｔｈｙｏｐｈｔｈｉｒｉｕｓ  ｍｕｌｔｉｆｉｌｉｉｓ等の駆虫をほぼ完全に行う事が出来るようになった。この塩浴水の遠赤外線放射セラミックス処理による方法は当然、遠赤外線放射セラミックス処理を行うだけで従来行っていた塩浴水の濃度を上げることが出来殺菌をより完全にするという目的が達成される事になった。
【発明を実施するための最良の形態】
【０００７】  本発明の実施の形態を図１に示す。本発明と比較実験をした形態を図２に示す。図１は遠赤外線放射セラミックス材に水が循環するようにして塩浴水を継続的に接触処理している。図２では図１の装置から遠赤外線放射セラミックス装置だけを除いてあるだけでその他の条件は全て同じになっている。次に本実験の条件を示す。
水槽寸法：市販の６０センチのガラス水槽
水量    ：５０Ｌ
水温    ：１９〜２１℃
塩分濃度：１％
魚種    ：らんちゅう
魚数    ：各５匹
体重    ：一匹平均約３０ｇ
年齢    ：８ヶ月
給餌    ：冷凍赤虫３ｇ（５匹当たりの１日量、１日１回）
遠赤外線放射セラミックス処理条件
遠赤外線放射セラミックス：Φ２２ｍｍ×３個を直列としパイプ中に充填
塩水と遠赤外線放射セラミックス球体との接触回数：３，０００回／日
以上の条件でその水槽中のらんちゅう魚の泳ぎ、すなわち元気さ、食欲、体表の変化を観察した。【０００８】  その結果は以下の通りであった。
（イ）塩浴水で飼育した５匹のらんちゅうの食欲は実験５日目で全く食べなくなり、泳ぎ、行動力も低下した。その鰭も真っ赤に充血し鰭の先がばらばらに溶け出している。
（ロ）そのために遠赤外線放射セラミックス（以下セラミックス処理と略記）を使用しない塩浴水での実験は５日目で中止した。他方セラミックス処理塩浴水で飼育した５匹のらんちゅうは１０日たっても元気さ、食欲ともに変化しなかった。
（ハ）その鰭を観察すると１箇所だけ軽く鰭が裂けているが鰭の損傷は塩浴水に比べ、非常に軽度であった。
（ニ）更に菌株の生存状況の確認のために菌株の耐塩性試験を行ったが、その結果を表１に示す。
（ホ）この表１の培養成績に示されるように遠赤外線放射セラミックス処理を施すと上述のように魚の生存は勿論の事、殺菌効果も高まる事が示された。
（ヘ）Ｆｌａｖｏｂａｃｔｅｒｉｕｍ  ｃｏｌｕｍｎａｒｅ菌株ＥＫ−８の滅菌試験の結果でもセラミックス処理塩浴水の方がセラミックス処理をしない塩浴水より滅菌能力が高いという結果が示されている。
【表の簡単な説明】
【表１】
2006304750.tif 000003
Ｆｌａｖｏｂａｃｔｅｒｉｕｍ  ｃｏｌｕｍｎａｒｅ菌株ＥＫ−８の培養成績
【図面の簡単な説明】
【図１】  本発明のセラミックスユニット付循環ポンプシステム
【図２】  従来の循環ポンプシステム
【符号の説明】
１．水槽
２．水面
３．水の流れ
４．セラミックスユニット
５．吸水口
６．ポンプ
７．排水口
８．魚
【図１】
2006304750.tif 000004
【図２】
2006304750.tif 000005